(57)【要約】【課題】ＬＥＤを使用しているにもかかわらず、自然な印象を与える照明器具を提供する。【解決手段】調光スイッチ１０４をＯＮとすると、電池１０６からＬＥＤ１０２に電力が供給され、ＬＥＤ１０２が発光する。ＬＥＤ１０２から出力された光は、底部から水晶玉３２に入射し、これを透過して外部に放出される。このとき、水晶玉３２自身が光学レンズとして作用するため、あたかも水晶玉３２の底から光が湧き上がってくるような神秘的な輝きが醸し出され、水晶が持つ魅力がより引き立てられるようになる。【選択図】図１
2009110831.tif 000002
【特許請求の範囲】
【請求項１】
水晶を利用した照明器具であって、
前記水晶に対して光を射出する少なくとも一つのＬＥＤ，
このＬＥＤに対して駆動用の電力を供給する調光手段，
を備えたことを特徴とする照明器具。
【請求項２】
前記ＬＥＤから射出された光が底部から前記水晶に入射するように、前記ＬＥＤを配置したことを特徴とする請求項１記載の照明器具。
【請求項３】
前記水晶を透明クッションを介して固定し、前記ＬＥＤの光が前記透明クッションを介して前記水晶に入射するように前記ＬＥＤを配置したことを特徴とする請求項１又は２記載の照明器具。
【請求項４】
前記ＬＥＤを複数配列したＬＥＤアレイによって前記水晶を照明することを特徴とする請求項１〜３のいずれかに記載の照明器具。
【請求項５】
前記調光手段が、前記ＬＥＤを駆動するための電力源として内臓電池と外部電源のいずれかを選択する切換スイッチを備えていることを特徴とする請求項１〜４のいずれかに記載の照明器具。
【発明の詳細な説明】
【技術分野】
【０００１】
本発明は照明器具にかかり、具体的には水晶を利用した照明器具に関する。
【背景技術】
【０００２】
宝石に関する照明器具としては、例えば下記特許文献１記載の「ダイヤモンド等の宝石用照明器具」がある。これは、ダイヤモンド自体を回転させることなく、ダイヤモンドに特有のキラキラとした美しい輝きを生じさせることができ、また、装身具の大小や展示形態に関係なく使用できる宝石用照明器具を提供することを目的とするもので、ランプを旋回運動させることによりダイヤモンドに当る光の方向を連続的に変化させ、定位置から観察した場合にダイヤモンドからの反射光の方向と強さが連続的に変化し、ダイヤモンド特有のキラキラした多彩な色の輝きが生じるようにしたものである。
【特許文献１】実開平６−３６１１９号公報
【発明の開示】
【発明が解決しようとする課題】
【０００３】
ところで、最近は、白色光の発光が可能となったことから、ＬＥＤ（発光ダイオード）が照明手段として注目されており、これを利用した照明器具ないし照明装置が提供されつつある。しかしながら、ＬＥＤの光は、極めて人工的な印象を与え、白熱電灯や蛍光灯の照明と比較して無機質な感じがする。本発明は、かかる点に着目したもので、ＬＥＤを使用しているにもかかわらず、自然な印象を与える照明器具を提供することを、その目的とする。
【課題を解決するための手段】
【０００４】
前記目的を達成するため、本発明は、水晶を利用した照明器具であって、前記水晶に対して光を射出する少なくとも一つのＬＥＤ，このＬＥＤに対して駆動用の電力を供給する調光手段，を備えたことを特徴とする。主要な形態の一つは、前記ＬＥＤから射出された光が底部から前記水晶に入射するように、前記ＬＥＤを配置したことを特徴とする。他の形態の一つは、前記水晶を透明クッションを介して固定し、前記ＬＥＤの光が前記透明クッションを介して前記水晶に入射するように前記ＬＥＤを配置したことを特徴とする。更に他の形態は、前記ＬＥＤを複数配列したＬＥＤアレイによって前記水晶を照明することを特徴とする。更に他の形態は、前記調光手段が、前記ＬＥＤを駆動するための電力源として内臓電池と外部電源のいずれかを選択する切換スイッチを備えていることを特徴とする。本発明の前記及び他の目的，特徴，利点は、以下の詳細な説明及び添付図面から明瞭になろう。
【発明の効果】
【０００５】
本発明によれば、ＬＥＤによって水晶が照明されるので、光が自然な印象を与えるようになり、優れた照明効果を得ることができる。
【発明を実施するための最良の形態】
【０００６】
以下、本発明を実施するための最良の形態を、実施例に基づいて詳細に説明する。
【実施例１】
【０００７】
図１には、本発明の実施例１の外観が示されている。同図中(A)は斜視図，(B)は背面図である。これらの図に示すように、照明器具１０は、基台１２上に収納部３０を備えており、収納部３０内には水晶玉３２が収納されている。収納部３０は、プラスチック,ガラス，アクリルなどの透明な素材で形成されている。基台１２内には、後述するようにＬＥＤ及び調光回路が設けられており、これらによって前記水晶玉３２が下側から照明されるようになっている。基台１２の正面には、調光スイッチ１０４が設けられており、ＯＮ，ＯＦＦの切り換え及び明るさの調節を行うことができる。また、基台１２の背面には、電池１０６の収納部１４と、外部電源アダプタ（図示せず）を接続するためのアダプタ端子１０８と、切換スイッチ１１０が設けられている。切換スイッチ１１０により、電池１０６と、外部電源アダプタのいずれから電力を供給するかを切り換えることができる。
【０００８】
図２には、照明器具１０の内部構造が示されている。同図(A)に示すように、基台１２内には調光回路１００が収納されており、その上に多数のＬＥＤ１０２が設けられている。このＬＥＤ１０２上に、上述した水晶玉３２の底部が位置している。すなわち、ＬＥＤ１０２から出力された光は、水晶玉３２の底部から水晶玉３２内に入り、水晶玉３２を通って外部に射出する。
【０００９】
図２(B)には、上述した調光回路１００の一例が示されている。同図に示すように、上述したＬＥＤ１０２のアノード側は、調光スイッチ１０４の一端に接続されており、調光スイッチ１０４の他端は、制限抵抗Ｒ１を介して電池１０６の＋側及びアダプタ端子１０８にそれぞれ接続されている。電池１０６の−側及び前記アダプタ端子１０８は、切換スイッチ１１０の切換端子にそれぞれ接続されている。また、切換スイッチ１１０の共通端子は、ＬＥＤ１０２のカソード側に接続されている。
【００１０】
以上の各部のうち、調光スイッチ１０４は、電源のＯＮ・ＯＦＦの切り換えを行なうスイッチＳと、調光を行なう可変抵抗Ｒ２によって構成されており、ＬＥＤ１０２の点灯と調光を行うことができる構成となっている。切換スイッチ１１０は、ＬＥＤ１０２のカソード側を、電池１０６もしくはアダプタ端子１０８のいずれに接続するかを切り換えるためのスイッチで、図示の状態では、電池１０６から電力がＬＥＤ１０２に供給される。制限抵抗Ｒ１は、ＬＥＤ１０２に流れる電流を所定値以下に制限するためのものである。
【００１１】
一例を示すと、制限抵抗Ｒ１は例えば１０Ω，可変抵抗Ｒ２は例えば１００Ωに設定されており、調光スイッチ１０４により、例えば２．８Ｖから３．６Ｖの電圧がＬＥＤ１０２に印加される。
【００１２】
次に、上記実施例の全体的動作を説明する。図２(B)に示すように、切換スイッチ１１０が電池１０６側に切り換えられているものとする。この状態で調光スイッチ１０４をＯＮとし、所望の明るさの位置となるように回すと、電池１０６から抵抗Ｒ１，調光スイッチ１０４を介してＬＥＤ１０２に電力が供給される。これにより、ＬＥＤ１０２が発光する。ＬＥＤ１０２から出力された光は、水晶玉３２に入射し、これを透過して外部に放出される。このとき、水晶玉３２自身が光学レンズとして作用するため、外から見ると、あたかも水晶玉３２の底から光が湧き上がってくるような神秘的な輝きが醸し出され、水晶が持つ魅力がより引き立てられるようになる。また、水晶玉３２から射出された光による照明を行なうこともできる。
【００１３】
ところで、水晶などの天然石は、古来より開運，招福，縁起物，守護石として、お守りや厄除け（魔除け）に使われている。本実施例によれば、ＬＥＤ１０２の光がそのまま射出されるのではなく水晶を通じて射出されるので、自然な印象を与えるとともに、水晶が持つ優れた効能も得ることができる。また、ＬＥＤ１０２を使用しているため、電池１０６を使用する場合でも、長時間にわたって高輝度の発光が可能である。通常は外部電源アダプタを使用して商用電源や電池パックから電力を供給し、停電時に内臓電池を使用することで、非常灯として活用することができる。加えて、調光回路により最適な明るさに設定することができるとともに、内臓電源と外部電源を簡便に切り換えることができる。
【実施例２】
【００１４】
次に、図３を参照しながら、他の実施例について説明する。上述した実施例は、水晶玉に本発明を適用した例であるが、図３(A)に示すように、角柱状の水晶２００に対しても同様に適用することができる。このとき、水晶２００の底面の形状によって良好に姿勢を保持できないときは、例えば透明クッション２０２を使用して底面の凹凸を吸収するようにする。同図の例では、透明基板２０４の略中央の凹部にＬＥＤ２０６を配置するとともに、このＬＥＤ２０６と水晶２００との間に透明クッション２０２を挟んだ構成となっている。透明クッション２０２としては、例えばシリコンジェルや接着粘土のような変形自在のものや、透明樹脂（接着剤）が利用できる。
【００１５】
図３(B)の例は、ＬＥＤアレイ３００を光源とした例である。ＬＥＤアレイ３００は、多数のＬＥＤチップ３０２を基板上に設けたものである。ＬＥＤアレイ３００のうち、一部のＬＥＤのみを発光させたり、一部を強く発光させるとともに一部を弱く発光させる，異なる色で発光させるなど、多様な発光形態が可能となる。
【００１６】
なお、本発明は、上述した実施例に限定されるものではなく、本発明の要旨を逸脱しない範囲内において種々変更を加え得る。例えば、以下のものも含まれる。
(1)前記実施例は、ＬＥＤから射出された光が底部から水晶玉に入射するようにしたが、側面など他の面から入射するようにしてもよい。
(2)前記実施例に示した調光回路は一例であり、必要に応じて適宜変更してよい。
(3)前記実施例では、ＬＥＤから射出された光をそのまま水晶玉に入射させたが、例えばレンズなどの光学素子を介在させるようにしてもよい。例えば、光学素子によってＬＥＤの射出光を拡散させたり、あるいは逆に絞ってビーム状として、水晶玉に入射させることで、趣向性のある照明が可能となる。
(4)水晶にドリルなどで穴ないし凹部を形成し、その部分にＬＥＤを埋め込み、水晶内部から発光させるようにしてもよい。
(5)前記実施例ではＬＥＤの調光（光の強弱の調整）を行なったが、点滅を行うようにしてもよいし、発光の色を変更するようにしてもよい。
(6)多数のＬＥＤを配列する場合に、水晶の形状に対応してＬＥＤを配列するようにしてもよい。例えば、水晶の底面形状が６角形の場合に、その６角形（もしくはその相似形）に沿ってＬＥＤを配列する，具体的には６角形の頂点にＬＥＤを配置する，もしくは６角形の各辺の中央にＬＥＤを配置する，６角形の輪郭となるように多数のＬＥＤを配置するという具合である。
【産業上の利用可能性】
【００１７】
本発明の照明器具の用途としては、室内におけるインテリア照明，レストランやアロマショップなどにおけるテーブル・サブ照明，アクセサリーショップにおけるショーケース照明，イベント会場におけるワンポイント照明，公園等におけるライトアップ，非常灯などが好適な例である。
【図面の簡単な説明】
【００１８】
【図１】本発明の実施例１の照明器具を示す図である。(A)は斜視図，(B)は背面図である。
【図２】(A)は前記実施例の内部構造を示す図，(B)は調光回路の一例を示す回路図である。
【図３】(A)は水晶柱の場合の実施例の主要部を示す図，(B)はＬＥＤアレイの実施例を示す図である。
【符号の説明】
【００１９】
１０：照明器具
１２：基台
１４：収納部
３０：収納部
３２：水晶玉
１００：調光回路
１０４：調光スイッチ
１０６：電池
１０８：アダプタ端子
１１０：切換スイッチ
２００：水晶
２０２：透明クッション
２０４：透明基板
３００：アレイ
３０２：チップ
Ｒ１：制限抵抗
Ｒ２：可変抵抗
Ｓ：スイッチ
【図１】
2009110831.tif 000003
【図２】
2009110831.tif 000004
【図３】
2009110831.tif 000005